(57)【要約】      （修正有）【課題】アミューズメント、セキュリティモニタ、およびデジタルビデオ記録機能を有し、同時に小型かつ高い空間効率を有する監視装置を提供する。【解決手段】監視装置は、監視下におくために外部カメラからデジタル画像を、そしてマイクロフォンでピックアップされる音声信号を受信し、さらにビデオ記録装置として機能するためにオーディオ/ビデオ信号を蓄積するためのストレージ装置を有する。この装置は、オーディオ/ビデオ信号の音声および画像、TV信号ならびにA/V信号を表示するディスプレイ装置を有する。【選択図】図１
0003122885.tif 000002
【実用新案登録請求の範囲】
【請求項１】
複数のカメラからのデジタル画像を受信および処理してビデオ信号出力するデジタル信号処理装置、
前記デジタル信号処理装置に接続され、そして前記ビデオ信号を蓄積する少なくとも一のストレージ装置、
前記デジタル信号処理装置に接続され、そして指示信号を処理するイベント管理装置、
前記デジタル信号処理装置に接続され、そして監視装置の操作を制御する中央処理装置、
前記中央処理装置に接続されたマルチメディアプロセッサ、ここで該マルチメディアプロセッサは、外部からA/V信号およびTV信号を受信および処理し、次いで前記A/V信号およびTV信号を該中央処理装置へ伝達する、ならびに
前記中央処理装置に接続され、そして前記ビデオ信号、前記A/V信号または前記TV信号を表示するディスプレイ装置
を含む監視装置。
【請求項２】
前記デジタル信号処理装置は、さらにオーディオ信号を処理する外部マイクロフォンからオーディオ信号を受信し、そして前記ビデオ信号の画像を前記オーディオ信号の音声と組み合わせて前記ディスプレイ装置に表示する前記中央処理装置へオーディオ信号を出力する、請求項１に記載の監視装置。
【請求項３】
前記デジタル信号処理装置に接続され、そして有線または無線のコミュニケーションリンクを介してリモートコンピュータにリンクするウエブリンクリモート監視／制御装置をさらに含む、請求項１に記載の監視装置。
【請求項４】
前記ウエブリンクリモート監視／制御装置は、インターネット、ローカルエリアネットワークまたは無線LANを介して前記リモートコンピュータへリンクされる、請求項３に記載の監視装置。
【請求項５】
外部ストレージへ転送するデータを提供するための前記オーディオ／ビデオ処理装置に接続された接続ポートをさらに含む、請求項１に記載の監視装置。
【請求項６】
前記接続ポートが、USB(ユニバーサルシリアルバス)接続ポートである、請求項５に記載の監視装置。
【請求項７】
前記イベント管理装置は、ドアアクセスコントローラにリンクし、ここで前記ドアアクセスコントローラが、少なくとも一のドアを開閉するために前記イベント管理装置から制御信号を受信する、請求項１に記載の監視装置。
【請求項８】
前記ディスプレイ装置が、フラットパネルディスプレイである、請求項１に記載の監視装置。
【請求項９】
前記フラットパネルディスプレイ装置が、TFT-LCDディスプレイ、OLEDディスプレイまたはPDPディスプレイである、請求項８に記載の監視装置。
【請求項１０】
前記ディスプレイ装置が、リアプロジェクタTVである、請求項１に記載の監視装置。
【請求項１１】
前記リアプロジェクタが、LCOSプロジェクタまたはDLPプロジェクタである、請求項１０に記載の監視装置。
【請求項１２】
前記ストレージ装置が、ハードディスクドライブ(HDD)またはフラッシュメモリである、請求項１に記載の監視装置。
【請求項１３】
リモートコントローラが、監視、デジタルビデオ記録および娯楽機能の中の操作を制御するためにIR信号を前記中央処理装置へ送る、請求項１に記載の監視装置。
【請求項１４】
リモートコントローラが、前記ディスプレイ装置の輝度、コントラスト、TVチャンネルアップ、TVチャンネルダウンおよび色相を調節するためにIR信号を送る、請求項１に記載の監視装置。
【請求項１５】
前記A/V信号が、ケーブルTVブロードキャスティングライン、STB(セットトップボックス)、DVDプレーヤ、VHSプレーヤまたはPMPプレーヤから来る、請求項１に記載の監視装置。
【考案の詳細な説明】
【技術分野】
【０００１】
本考案は、監視装置に関し、特に、ディスプレイ付きでアミューズメント、セキュリティモニタリングおよびデジタルビデオ記録機能を同時に有する監視およびデジタルビデオ記録装置に関する。
【背景技術】
【０００２】
商用ビルディングや住宅団地／アパートの安全を守る安全担当者はいるものの、警戒区域が広すぎ、あるいは当直の警備員が、パトロールし、事件に対処し、またはトイレにたつためにその場を離れるので安全のギャップが依然として存在する。したがって、電子セキュリティ装置が、セキュリティ任務の基本的な道具となり、監視、制御および警告で警備員を補助している。
【０００３】
一般に、セキュリティシステムが、店、住居またはコミュニティに設置されることになっても、そのセキュリティシステムは、専門技術者によって設置される必要がある。住居用アパートや商業ビルディングに使用されるセキュリティシステムは、かなり複雑であり、その設置は困難かつ高価である。モニタ区域、入口および出口に設置されるカメラに加えて、通常、カメラでキャプチャした画像を記録するのにデジタルビデオリコーダが使われる。キャプチャ画像は、また、モニタ上でリアルタイムに観察される。使用者が余暇にＴＶを見たい場合には、テレビが必要になる。しかし、デジタルビデオリコーダとモニタが設置されている環境に設置される余分のテレビは余分の空間を占拠し、それは空間効率が低下させるので、混雑した都市の環境では、空間を効率的に利用することが重要である。
【０００４】
したがって、本考案は、汎用セキュリティシステムにおいて困難で高価な設置と狭い空間の効率を解決する監視装置を提案する。
【考案の開示】
【考案が解決しようとする課題】
【０００５】
本考案の目的の一つは、ディスプレイ装置、監視およびデジタルビデオリコーダを単一装置内に組み込み、アミューズメント、セキュリティ監視およびデジタルビデオ記録機能を有する監視装置を提供することにある。
【０００６】
本考案の目的の一つは、三つの機器を単一機器内に組み込み、小型かつ高い空間利用率の監視装置を提供することにある。さらに、リモートコントローラが、監視、記録および娯楽として機能する本考案をユーザフレンドリな簡易使用インターフェースで制御する。
【０００７】
本考案の目的の一つは、その組み立てが簡易かつ迅速であり、それによって設置費用を抑えることの可能な監視装置を提供することにある。
【課題を解決するための手段】
【０００８】
上記目的を達成するために、本考案は、複数のカメラからのデジタル画像を受信および処理してビデオ信号出力するデジタル信号処理装置、該デジタル信号処理装置に接続され、そしてビデオ信号を蓄積する少なくとも一のストレージ装置、該デジタル信号処理装置に接続され、そして指示信号を処理するイベント管理装置、該デジタル信号処理装置に接続され、そして監視装置の操作を制御する中央処理装置、該中央処理装置に接続されたマルチメディアプロセッサであって、該マルチメディアプロセッサは、外部からA/V信号およびTV信号を受信および処理してA/V信号およびTV信号を該中央処理装置へ伝達する、ならびに該中央処理装置に接続され、ビデオ信号、A/V信号またはTV信号を表示するディスプレイ装置を備えた監視装置を提案する。
【０００９】
本考案の目的、技術的内容、特徴および実施を可能にするため、本考案の実施態様を添付の図面を用いて詳細に説明する。
【考案を実施するための最良の形態】
【００１０】
本考案は、セキュリティモニタおよびデジタルビデオリコーダをマルチ機能の単一機器内に組み込んで、アミューズメント、セキュリティモニタリング、デジタルビデオ記録機能を同時にもつ。本考案は、NTSCやPALのようなさまざまなＴＶフォーマットを受信し、米国での字幕や欧州での文字放送を将来のデジタル放送開発に完全にマッチして完全なTV機能としてサポートするためのローカルメッセージを実現するための全帯域チューナを有する。
【００１１】
図１のブロック図を参照すると、それは、本考案の監視装置の基本構成を示している。監視装置10は、モニタ側に設置されるいくつかのカメラ31,32からのデジタル画像を受信および処理して、ビデオ信号を出力するデジタル信号処理装置11；デジタル信号処理装置11に接続され、そしてカメラ31,32からのビデオ信号を蓄積するストレージ装置15；デジタル信号処理装置11に接続され、そしてデジタル信号処理装置11からの指示信号を処理するイベント管理装置17；デジタル信号処理装置11に接続され、そして監視装置10の操作を制御する中央処理装置12；中央処理装置12に接続されたマルチメディアプロセッサ18、ここで、マルチメディアプロセッサ18は、外部からのA/V信号およびTV信号受信および処理し、次いでA/V信号およびTV信号を中央処理装置12へ伝達する；ならびに中央処理装置12に接続され、ビデオ信号、TV信号またはA/V信号を表示するディスプレイ装置13を備える。
【００１２】
したがって、デジタル信号処理装置11は、カメラ31,32と同じ側に設置されるマイクロフォン33,34によりピックアップされたオーディオ信号もまた受信する。本考案は、まわりの環境をモニタして、有線または無線のカメラ31,32とマイクロフォン33,34とで人および物品のセキュリティを維持する。それは、かさ高なセキュリティシステムよりもセットアップが簡単である。ディスプレイ装置13は、環境の視野と音声を映し出す。ディスプレイ装置13は、TFT-LCDディスプレイ、OLEDディスプレイやPDPディスプレイのようなフラットパネルディスプレイ装置、あるいはLCoSプロジェクタやDLPプロジェクタのようなリアプロジェクタである。
【００１３】
ストレージ装置15は、ビデオ-ストレージハードディスクドライブまたはフラッシュメモリであり、デジタル信号処理装置11からのビデオデータおよびオーディオデータを蓄積する。ビデオデータおよびオーディオデータを蓄積する方法によって、デジタルビデオ記録機能が、本考案を使用して達成される。さらに、USB接続ポートからビデオデータおよびオーディオデータを蓄積するUSBストレージ36は、記録ファイルをダウンロードし、またはデジタル信号処理装置11からのオーディオデータおよびビデオデータを直接記録するために別の蓄積メディアを提供する。ユーザは、USB接続ポート16を活用して、キャプチャした特定のイベント期間をストレージ装置15から容易にダウンロードし得る。
【００１４】
デジタル信号処理装置16に接続された中央処理装置12は、外部テレビジョン信号またはマルチメディアプロセッサ18からのオーディオ/ビデオ信号を受信および処理し、次いでテレビジョン信号またはオーディオ/ビデオ信号のコンテンツをディスプレイ装置13のスクリーンへ表示する。本考案は、たった一つの装置でユーザへ別のアミューズメント機能を提供し、したがって、ユーザは、記録機能、監視、およびTV、ムービーや見、ゲームをするために該装置を利便に制御し得る。
【００１５】
ユーザがテレビプログラムを観ることを選択する場合、中央処理装置12は、外部テレビジョン信号を、マルチメディアプロセッサ18を介して受信し、そしてそれをディスプレイ装置13へ表示する。ユーザがセキュリティ監視画像を見ることを選択する場合、中央処理装置12は、テレビジョン信号のスイッチを切り、そしてデジタル信号処理装置11で受信されるリアルタイムオーディオ/ビデオ信号の画像および音声をディスプレイ装置13へ表示する。したがって、本考案は、セキュリティおよび記録装置だけでなく、アミューズメント装置としても機能する。
【００１６】
本考案において、中央処理装置12は、また、リモートコンピュータ35からコンピュータ信号を受信してもよい。さらに、遠距離モニタおよび制御を実行するために、本考案の監視装置10は、デジタル信号処理装置11に接続され、有線または無線のコミュニケーションリンク、例えばインターネット、LAN(ローカルエリアネットワーク)や無線LANを介してリモートコンピュータ38にリンクされるウエブリンクリモート監視／制御装置14を有する。
【００１７】
本考案の自動化に関して、イベント管理装置17が、ドアアクセスコントローラ37にリンクし、これはイベント管理装置17からの制御信号を受信してドアを開閉し、同時に、入ってくる人をユーザがモニタできるようにドア付近のカメラがドア周りの画像をディスプレイ装置13へ送る。
【００１８】
さらに、監視装置10の監視、デジタルビデオ記録および娯楽の機能の中から操作を制御するために、リモートコントローラ20は、中央処理装置12へIR信号を送る。中央処理装置12は、ユーザフレンドリなインターフェースのために、PIPおよびPOP機能をディスプレイ装置53へ送る。PIPまたはPOP機能で、リモートコントローラ20が、監視装置10の記録および再生機能をつとめる場合、昼間のセッテイングがリモートコントローラ20で操作される。さらに、リモートコントローラ20が、制御信号を送って、予約したカメラのビデオを受信するためにデジタル
記録機能を直接操作し、そしてリモートコントローラ20がディスプレイ装置13の輝度、コントラスト、TVチャンネルアップ、TVチャンネルダウンおよび色相を調節する。
【００１９】
本考案の監視装置は、三つの装置の機能を単一機器に組み込んだ三つ組の装置であるので、それは小型および高い空間効率を有するだけでなく、容易かつ迅速に設置することができ、さらに、ユーザは、それを自分で組み立てることができ、したがって、設置費用も抑えることができる。
【００２０】
上記した実施内容は、当業者が本考案を理解し、作製し、そして使用できるように本考案の技術思想および特徴を明確にすることのみを意図するものであって、本考案の範囲を限定しない。ここに開示された本考案の精神に従っていかなる等価な修正および変更も、本考案の請求の範囲に含まれるものである。
【図面の簡単な説明】
【００２１】
【図１】本考案の監視装置の基本構成を示すブロック図である。
【図１】
0003122885.tif 000003